(57)【要約】【課題】圧力逃がし弁の操作を低位置にて可能であり、なおかつ、メンテナンス性の高い給湯機を提供すること。【解決手段】本発明の給湯機１は、湯を貯える貯湯タンク２を備えた給湯機１であって、貯湯タンク２内の圧力を調整する圧力逃がし弁４と、圧力逃がし弁４を遠隔操作する手元操作部９と、給湯機１への漏電遮断機を操作する安全点検用操作部１０ａとを備え、手元操作部９と安全点検用操作部１０ａとを同一操作パネル１１内に併設したことにより、同一操作パネル１１上で、電気安全点検と、圧力安全動作点検とを同時に容易に行うことができる。【選択図】図４
2008275285.tif 000002
【特許請求の範囲】
【請求項１】
湯を貯える貯湯タンクを備えた給湯機であって、前記貯湯タンク内の圧力を調整する圧力逃がし弁と、前記圧力逃がし弁を遠隔操作する手元操作部と、前記給湯機への漏電遮断器を操作する安全点検用操作部とを備え、前記手元操作部と前記安全点検用操作部とを同一操作パネル内に併設したことを特徴とする給湯機。
【請求項２】
前記操作パネルを、前記給湯機の設置面より９００ｍｍ〜１７００ｍｍに設けたことを特徴とする請求項１に記載の給湯機。
【請求項３】
前記操作パネルにレバーと、前記レバーと前記圧力逃がし弁とを接続するリンク機構を備え、前記レバーを操作することによって、前記圧力逃がし弁の操作を行うことを特徴とする請求項１または２に記載の給湯機。
【請求項４】
圧力逃がし弁を筐体に固定する固定金具を備え、前記固定金具の一端を圧力逃がし弁に接続するとともに、前記固定金具の他端を、前記圧力逃がし弁と前記操作パネルとの間の筐体に固定したことを特徴とする請求項３に記載の給湯機。
【発明の詳細な説明】
【技術分野】
【０００１】
本発明は、貯湯タンクを有する給湯機の構成に関する。
【背景技術】
【０００２】
従来の構成では、貯湯タンク内部にヒーターを設けた電気温水器や、ヒートポンプサイクル及び燃料電池等の熱源を利用した貯湯式給湯機の貯湯タンクの上部には、蒸気圧力の安全圧力を制限する圧力逃がし弁が設置されている（例えば、特許文献１参照）。また、給湯機の主電源の電気回路には、漏電遮断器が設置されており、使用者の定期的なメンテナンスとして圧力逃がし弁や漏電遮断器が正常に動作するかどうかをチェックしなければならない。
【特許文献１】特開２００５−１４７５３８号公報
【発明の開示】
【発明が解決しようとする課題】
【０００３】
しかしながら、前記従来の構成の貯湯式給湯機は、貯湯タンクユニットの大容量化に伴い給湯機の筐体が大型化するとともに、設置スペースの狭小化に伴って、設置面積を大きく出来ないため、給湯機の高さ方向に延伸する必要がある。そのため、貯湯用タンクの上部にある温水回路配管に配置された圧力逃がし弁の定期点検パネル部は、高位置に配置されており、点検時には踏み台等の事前準備が必要であった。
【０００４】
また、別途点検パネルを設けて、主電源回路に配置された、電気安全用の漏電遮断器についても、定期的に漏電チェックテストを実施することが、義務づけられているため、使用者自身でその定期点検を行う必要不があり、安全のためには機器の動作点検を求められている。
本発明は、前記従来の課題を解決するもので、圧力逃がし弁の操作を低位置にて可能であり、なおかつ、メンテナンス性の高い給湯機を提供することを目的とする。
【課題を解決するための手段】
【０００５】
前記従来の課題を解決するために、本発明の給湯機は、湯を貯える貯湯タンクを備えた給湯機であって、前記貯湯タンク内の圧力を調整する圧力逃がし弁と、前記圧力逃がし弁を遠隔操作する手元操作部と、前記給湯機への漏電遮断機を操作する安全点検用操作部とを備え、前記手元操作部と前記安全点検用操作部とを同一操作パネル内に併設したことにより、同一操作パネル上で、電気安全点検と、圧力安全動作点検とを同時に容易に行うことができる。
【発明の効果】
【０００６】
本発明の給湯機は、圧力逃がし弁の操作を低位置にて可能であり、なおかつ、メンテナンス性の高い給湯機を提供することが可能である。
【発明を実施するための最良の形態】
【０００７】
第１の発明の給湯機は、湯を貯える貯湯タンクを備えた給湯機であって、前記貯湯タンク内の圧力を調整する圧力逃がし弁と、前記圧力逃がし弁を遠隔操作する手元操作部と、前記給湯機への漏電遮断器を操作する安全点検用操作部とを備え、前記手元操作部と前記安全点検用操作部とを同一操作パネル内に併設したことにより、同一操作パネル上で、電気安全点検と、圧力安全動作点検とを同時に容易に行うことができるとともに、操作パネル上に近接してそれぞれの操作部を設けているので、一方の操作を実施した際に、もう一方の操作の実施を使用者に促すことができ、メンテナンス性が向上する。
【０００８】
第２の発明の給湯機は、特に第１の発明において、操作パネルを、前記給湯機の設置面より９００ｍｍ〜１７００ｍｍに設けたことにより、使用者の可視範囲内であるので、使用者の視認性を向上させることができる。
【０００９】
第３の発明の給湯機は、特に第１または第２の発明において、前記操作パネルにレバーと、前記レバーと前記圧力逃がし弁とを接続するリンク機構を備え、前記レバーを操作することによって、前記圧力逃がし弁の操作を行うことにより、簡単な構成で圧力逃がし弁を遠隔操作することができる。
【００１０】
第４の発明の給湯機は、特に第３の発明において、圧力逃がし弁を筐体に固定する固定金具を備え、前記固定金具の一端を圧力逃がし弁に接続するとともに、前記固定金具の他端を、前記圧力逃がし弁と前記操作パネルとの間の筐体に固定したことにより、操作パネルから圧力逃がし弁までの動作距離を安定させることができる。
【００１１】
以下、本発明の実施の形態について、図面を参照しながら説明する。なお、この実施の形態によって本発明が限定されるものではない。
【００１２】
（実施の形態１）
図１（ａ）、（ｂ）、（ｃ）は、本発明の実施の形態１における給湯機の天面図および正面図および側面図である。図１に示すように、本実施の形態１における給湯機１は、湯を貯える貯湯タンク２を有しており、貯湯タンク２の上部配管には、貯湯タンク２内の圧力を逃がすための圧力逃がし弁４が配設されている。なお、本実施の形態１における給湯機は、圧縮機、水冷媒熱交換器、膨張弁、蒸発器を順次冷媒配管で接続して構成される冷凍サイクルを有したヒートポンプ式給湯機を一実施例として説明するが、これに限定されることはない。
【００１３】
圧力逃がし弁４は、貯湯タンク２内の圧力が、膨張水によって安全圧力設定を超えたときに貯湯タンク２内の膨張水を放出し、貯湯タンク２内の圧力を下げている。一方、圧力逃がし弁４から放出された膨張水は、一端が圧力逃がし弁４に、他端が大気に連通している排水配管５を経由して、給湯機１の外部に放出される。
【００１４】
図２（ａ）、（ｂ）、（ｃ）は、本発明の実施の形態１における給湯機の天面要部拡大図および正面要部拡大図および側面要部拡大図である。図２に示すように、本実施の形態１における圧力逃がし弁４は、手動操作レバー４ａを回転動作することによって手動操作が可能となっている。
【００１５】
一方、給湯機１の略中央上部付近には、操作パネル１１を設けている。図３は給湯機１の正面図を示し、図４は操作パネル１１の要部拡大正面図を示している。図３に示すように、操作パネル１１の高さＨは、給湯機１が設置されている面から９００ｍｍ〜１７００ｍｍ程の位置がよく、一般的な身長の人間Ｊの可視範囲内であるとともに、視認性が向上する位置である。
【００１６】
また、図４に示すように、操作パネル１１上に、圧力逃がし弁４を遠隔操作する手元操作部である手元操作レバー９および、給湯機１の漏電遮断器１０の動作確認を行う安全点検用操作部である切り替えスイッチ１０ａが設けられている。手元操作レバー９と手動操作レバー４ａは、リンク機構である連結桟８で接続されており、手元操作レバー９の上下方向の動作で、手動操作レバー４ａが回転駆動し、圧力逃がし弁４の遠隔操作を可能にしている。
【００１７】
このように、漏電遮断器１０の切り替えスイッチ１０ａと、圧力逃がし弁４の操作部である手元操作レバー９を近接させて配設することで、使用者に対して両方の動作を行うように促すことが可能となっている。また、圧力逃がし弁４と手元操作レバー９との間で、なおかつ、圧力逃がし弁４から最近傍の筐体の側板６に固定金具７で固定することで、圧力逃がし弁４を遠隔操作する時の安定化を図っている。
【００１８】
また、図５は本発明の他の実施の形態を示す図である。上記では、手元操作レバー９と手動操作レバー４ａとを連結桟８で接続した構成となっているが、図５に示す他の実施の形態は、ワイヤ１２と、ワイヤ１２を貫通させて摺動させるガイドチューブ１３を、操作パネル１１の切り替えスイッチ１０ａに近接させて配設した摺動ガイド１４の内部に嵌接して摺動する操作レバー１５に連結させ、操作レバー１５を操作することにより、圧力逃がし弁４を操作可能としている。
【産業上の利用可能性】
【００１９】
以上のように、本発明は、ヒートポンプ式給湯機だけでなく、熱源とタンクユニットが一体的に構成された給湯機等に適用することができる。
【図面の簡単な説明】
【００２０】
【図１】（ａ）本発明の実施の形態１における給湯機の天面図（ｂ）正面図（ｃ）側面図
【図２】（ａ）同実施の形態１における給湯きの天面拡大図（ｂ）正面拡大図（ｃ）側面拡大図
【図３】同実施の形態１における給湯機の正面図
【図４】同実施の形態１における操作パネルの要部拡大正面図
【図５】他の実施の形態における操作パネルの拡大正面図
【図６】従来の給湯機の構成図
【符号の説明】
【００２１】
１  給湯機
２  貯湯タンク
４  圧力逃がし弁
４ａ  手動操作レバー
５  排水配管
６  側板
７  固定金具
８  連結桟
９  手元操作レバー
１０  漏電遮断器
１０ａ  切り替えスイッチ
１１  操作パネル
【図１】
2008275285.tif 000003
【図２】
2008275285.tif 000004
【図３】
2008275285.tif 000005
【図４】
2008275285.tif 000006
【図５】
2008275285.tif 000007
【図６】
2008275285.tif 000008